(57)【特許請求の範囲】
【請求項１】
第１の筐体と、
第２の筐体と、
前記第１の筐体を回動可能に支持した第１の軸部と、前記第２の筐体を回動可能に支持した第２の軸部と、を有したヒンジ部と、
前記第１の筐体に収容され、一部が前記第１の軸部と前記第２の軸部との間に位置した第１のディスプレイと、
前記第１のディスプレイを覆った第１曲面部を有した第１の透光性のパネルと、
前記第２の筐体に収容され、一部が前記第１の軸部と前記第２の軸部との間に位置した第２のディスプレイと、
前記第２のディスプレイを覆った第２曲面部を有した第２の透光性のパネルと、
前記第１の筐体と前記第２の筐体との開き角を検出する角度検出部と、
を具備し、
前記第１及び第２のディスプレイは、これらディスプレイの位置に応じて異なる縦横比の画像を表示し、
前記第１曲面部は、前記第１の透光性のパネルの前記第２のディスプレイ側の端部に設けられ、
前記第１のディスプレイは、前記開き角が所定角度よりも小さい場合、前記開き角が前記所定角度よりも大きいときに当該第１のディスプレイの前記第２のディスプレイ側の端部の近傍に表示していた画像を前記第２のディスプレイから離れた位置に寄せて表示する電子機器。
【請求項２】
前記第１のディスプレイは、前記開き角が所定角度よりも小さい場合、前記第１曲面部を通じて表示される画像が少なくなるように画像を前記第２のディスプレイから離れた位置に寄せて表示する、請求項１記載の電子機器。
【請求項３】
第１の筐体と、
第２の筐体と、
前記第１の筐体を回動可能に支持した第１の軸部と、前記第２の筐体を回動可能に支持した第２の軸部と、を有したヒンジ部と、
前記第１の筐体に収容され、一部が前記第１の軸部と前記第２の軸部との間に位置した第１のディスプレイと、
前記第１のディスプレイを覆った第１曲面部を有した第１の透光性のパネルと、
前記第２の筐体に収容され、一部が前記第１の軸部と前記第２の軸部との間に位置した第２のディスプレイと、
前記第２のディスプレイを覆った第２曲面部を有した第２の透光性のパネルと、
ユーザの位置を検出する位置検出部と、
を具備し、
前記第１及び第２のディスプレイは、これらディスプレイの位置に応じて異なる縦横比の画像を表示し、
前記第１曲面部は、前記第１の透光性のパネルの前記第２のディスプレイ側の端部に設けられ、
前記第１のディスプレイは、ユーザに対する当該第１のディスプレイの角度が所定角度よりも小さい場合、ユーザに対する当該第１のディスプレイの角度が前記所定角度よりも大きいときに当該第１のディスプレイの前記第２のディスプレイ側の端部の近傍に表示していた画像を前記第２のディスプレイから離れた位置に寄せて表示する電子機器。
【請求項４】
前記第１のディスプレイは、ユーザに対する当該第１のディスプレイの角度が所定角度よりも小さい場合、前記第１曲面部を通じて表示される画像が少なくなるように画像を前記第２のディスプレイから離れた位置に寄せて表示する、請求項３記載の電子機器。
【発明の詳細な説明】
【技術分野】
【０００１】
本発明の実施形態は、電子機器に関する。
【背景技術】
【０００２】
例えば電子書籍の閲覧に用いられる電子機器は、本のように開閉される構造を備えるものがある。このような電子機器は、ヒンジによって連結された一対のユニットを備えている。この一対のユニットは、それぞれ文書、イメージ、ウェブページ、およびその他の情報を表示し、本のように開かれた状態で閲覧される。
【先行技術文献】
【特許文献】
【０００３】
【特許文献１】特開２００６−１１３５０１号公報
【発明の概要】
【発明が解決しようとする課題】
【０００４】
文書のような情報を表示するユニットの表示部は、ユニットの筐体の一部であるフレームに囲まれる。このため、一方の表示部と他方の表示部との間がフレームによって離れ、２つの表示部を１つの大きな表示部として見ることが難しくなってしまう。
【０００５】
本発明の目的は、表示部を筐体の端部に近接させた電子機器を提供することにある。
【課題を解決するための手段】
【０００６】
一つの実施形態に係る電子機器は、第１の筐体と、第２の筐体と、ヒンジ部と、第１のディスプレイと、第１の透光性のパネルと、第２のディスプレイと、第２の透光性のパネルと、角度検出部と、を備える。前記ヒンジ部は、前記第１の筐体を回動可能に支持した第１の軸部と、前記第２の筐体を回動可能に支持した第２の軸部と、を有する。前記第１のディスプレイは、前記第１の筐体に収容され、一部が前記第１の軸部と前記第２の軸部との間に位置する。前記第１の透光性のパネルは、前記第１のディスプレイを覆った第１曲面部を有する。前記第２のディスプレイは、前記第２の筐体に収容され、一部が前記第１の軸部と前記第２の軸部との間に位置する。前記第２の透光性のパネルは、前記第２のディスプレイを覆った第２曲面部を有する。前記角度検出部は、前記第１の筐体と前記第２の筐体との開き角を検出する。前記第１及び第２のディスプレイは、これらディスプレイの位置に応じて異なる縦横比の画像を表示する。前記第１曲面部は、前記第１の透光性のパネルの前記第２のディスプレイ側の端部に設けられている。前記第１のディスプレイは、前記開き角が所定角度よりも小さい場合、前記開き角が前記所定角度よりも大きいときに当該第１のディスプレイの前記第２のディスプレイ側の端部の近傍に表示していた画像を前記第２のディスプレイから離れた位置に寄せて表示する。
【図面の簡単な説明】
【０００７】
【図１】第１の実施の形態に係る電子機器の例を示す斜視図。
【図２】第１の実施形態の電子機器の断面図例。
【図３】第１の実施形態の電子機器を拡大して示す断面図例。
【図４】第１の実施形態の第１のユニットが画像を表示した状態の一例。
【図５】第１の実施形態の第１のユニットが表示した画像が補正された状態の一例。
【図６】第１の実施形態に係る電子機器の機能ブロック例を示す図。
【図７】第２の実施の形態に係る電子機器の断面図例。
【図８】第３の実施の形態に係る電子機器の断面図例。
【図９】第１の実施形態の電子機器における光の軌跡を説明するための断面図。
【図１０】第３の実施形態の電子機器における光の軌跡を説明するための断面図。
【図１１】第４の実施形態の第１および第２のユニットが１８０°開いている電子機器を示す斜視図。
【図１２】第４の実施形態の第１および第２のユニットが９０°開いている電子機器を示す斜視図。
【図１３】第４の実施形態の電子機器の機能ブロック例を示す図。
【発明を実施するための形態】
【０００８】
以下に、第１の実施の形態について、図１から図５を参照して説明する。図１は、第１の実施形態の電子機器１を示す斜視図である。なお、本明細書において、図１のように電子機器１を立てた状態における上方向を上、同状態における下方向を下と便宜上定義する。この電子機器１は、例えばポータブルコンピュータおよび電子書籍のリーダーとして利用される。
【０００９】
図１に示すように、電子機器１は、第１のユニット３と、第２のユニット４と、一対のヒンジ部５と、突出部６とを備えている。第１のユニット３と第２のユニット４とは、一対のヒンジ部５によって互いに回動可能に連結されている。第１のユニット３と第２のユニット４は、互いに重ねられた閉じ位置と、１８０°開かれた開き位置との間で、自在に開閉される。
【００１０】
一方のヒンジ部５は、第１のユニット３の内側の端部の上端から、第２のユニット４の内側の端部の上端に亘って設けられる。他方のヒンジ部５は、第１のユニット３の内側の端部の下端から、第２のユニット４の内側の端部の下端に亘って設けられる。また第１ユニット３と第２ユニット４間を接続する制御線や電源線など各種配線を通すために、上下どちらか一方にのみヒンジを設ける構成も取ることができる。
【００１１】
一対のヒンジ部５は、第１の軸部１１と、第２の軸部１２とをそれぞれ有している。なお、図１において第１の軸部１１および第２の軸部１２は隠れているため、第１の軸部１１の回転軸と第２の軸部１２の回転軸とをそれぞれ概略的に一点鎖線で示す。第１の軸部１１は、第１のユニット３を回動可能に支持している。第２の軸部１２は、第２のユニット４を回動可能に支持している。一対の第１の軸部１１と、一対の第２の軸部１２とは、平行に並んで配置されている。
【００１２】
図２は、電子機器１の構造例を示す断面図である。図２に示すように、第１のユニット３と第２のユニット４とは、互いに噛み合うギア１４をそれぞれ有している。ギア１４によって、第１のユニット３と第２のユニット４とは、互いに同じ角度だけ回動する。
【００１３】
突出部６は、一方のヒンジ部５から他方のヒンジ部５に亘って設けられている。突出部６は、ユーザが把持し易い長さおよび厚さに形成されている。突出部６は、例えば取り外し可能なバッテリーユニットや、ジョグダイヤルのような種々のインターフェイスを有している。
【００１４】
第１のユニット３は、第１の筐体２１と、第１のディスプレイ２２と、第１のタッチパネル２３と、第１のパネル２４と、を有している。
【００１５】
図１に示すように、第１の筐体２１は、略矩形状に形成されている。第１の筐体２１は、ベース２５と、フレーム２６と、端部２７と、開口部２８とを有している。ベース２５は、フレーム２６と嵌合している。第１の筐体２１のフレーム２６は、閉じ位置において第２のユニット４と向かい合う。フレーム２６は、開口部２８を囲んでいる。図２に示すように、第１の筐体２１の端部２７は、開き位置において第２のユニット４に面している。端部２７の断面は、円弧状に形成されている。これにより、第１のユニット３の回動時に、第１の筐体２１の端部２７が第２のユニット４に当接することが防がれる。
【００１６】
第１の筐体２１に、第１のディスプレイ２２、第１のタッチパネル２３、およびプリント回路板２９のような種々の電子部品が収容されている。プリント回路板２９に、例えばＭＰＵが実装されている。このＭＰＵは、電子機器１を制御する。
【００１７】
第１のディスプレイ２２は、例えば液晶ディスプレイである。なお、第１のディスプレイ２２はこれに限らず、例えば有機ＥＬディスプレイのような他のディスプレイであっても良い。
【００１８】
第１のディスプレイ２２は、略矩形状に形成され、第１の表示部３１を有している。第１の表示部３１は、第１の筐体２１の開口部２８から第１の筐体２１の外に向かって露出される。第１のディスプレイ２２は、例えば前記ＭＰＵの制御に従って第１の表示部３１に画像を表示する。なお、本明細書において画像とは、例えば文字、記号、数字、文書、イメージ、動画、およびウェブページのような、画面に映る種々の情報を含むものと定義され、イラストや写真のようなイメージに限らない。
【００１９】
そしてＭＰＵは、当該第１のディスプレイ２２及び後述する第２のディスプレイ４２に表示する画像を補正制御する機能を有する。
【００２０】
図３は、電子機器１のヒンジ部５の周辺の構造例を拡大して示す断面図である。図３に示す点Ａは、第１の軸部１１の位置を模式的に示している。一方、図３に示す点Ｂは、第２の軸部１２の位置を模式的に示している。図３に示すように、第１のディスプレイ２２の一部は、開き位置において、第１の軸部１１と第２の軸部１２との間に位置している。
【００２１】
第１のタッチパネル２３は、透光性を有する矩形状の部品であり、隙間を介して第１の表示部３１を覆っている。第１のタッチパネル２３は、例えば静電式のセンサを有し、第１のパネル２４上の指の動きを感知する。
【００２２】
第１のパネル２４は、例えば透光性の樹脂やガラスによって形成されている。第１のパネル２４は、開口部２８を塞ぐように第１の筐体２１に取り付けられ、第１のディスプレイ２２および第１のタッチパネル２３を保護している。第１のパネル２４は、第１のタッチパネル２３の上から第１の表示部３１を覆っている。
【００２３】
図３に示すように、第１のパネル２４は、第１の平面部３３と、第１の曲面部３４とを有している。第１の平面部３３は、矩形状に形成されている。第１の曲面部３４は、第１の筐体２１の端部２７に沿った第１の平面部３３の外縁（一端）に沿って設けられている。第１の曲面部３４は、第１の筐体２１の端部２７に連続する断面円弧状に形成されている。これにより、第１のユニット３の回動時に第１の曲面部３４が第２のユニット４に当接することが防止される。図３において、第１の平面部３３と第１の曲面部３４とは、二点鎖線によって模式的に区切られている。
【００２４】
図３に示すように、第１の平面部３３は、第１の表示部３１の上に配置され、第１の表示部３１に重ねられている。さらに第１の曲面部３４も、第１の表示部３１の上に配置され、第１の表示部３１に重ねられている。このため、第１のパネル２４は、第１の平面部３３および第１の曲面部３４から第１の表示部３１を第１の筐体２１の外に露出させる。第１の表示部３１が表示する画像は、第１の平面部３３を通して表示されるとともに、第１の曲面部３４を通して表示される。またパネル２４とフレーム２６とを一体成形で製造することで強固な構造となり、落下などによる外部からの衝撃から第１のディスプレイ２２など電子部品を防御できる。
【００２５】
第２のユニット４は、第２の筐体４１と、第２のディスプレイ４２と、第２のタッチパネル４３と、第２のパネル４４と、を有している。
【００２６】
図１に示すように、第２の筐体４１は、略矩形状に形成されている。第２の筐体４１は、ベース４５と、フレーム４６と、端部４７と、開口部４８とを有している。ベース４５は、フレーム４６と嵌合している。第２の筐体４１のフレーム４６は、閉じ位置において第１のユニット３と向かい合う。フレーム４６は、開口部４８を囲んでいる。図２に示すように、第２の筐体４１の端部４７は、開き位置に置いて第１のユニット３に面している。端部４７の断面は、円弧状に形成されている。これにより、第２のユニット４の回動時に、第２の筐体４１の端部４７が第１のユニット３に当接することが防がれる
第２の筐体４１に、第２のディスプレイ４２、第２のタッチパネル４３、およびプリント回路板４９のような種々の電子部品が収容されている。
【００２７】
第２のディスプレイ４２は、第１のディスプレイ２２と同様に、例えば液晶ディスプレイである。なお、第２のディスプレイ４２はこれに限らず、例えば有機ＥＬディスプレイのような他のディスプレイであっても良い。
【００２８】
第２のディスプレイ４２は、略矩形状に形成され、第２の表示部５１を有している。第２の表示部５１は、第２の筐体４１の開口部４８から第２の筐体４１の外に向かって露出される。第２のディスプレイ４２は、例えば前記ＭＰＵの制御に従って第２の表示部５１に画像を表示する。
【００２９】
図３に示すように、第２のディスプレイ４２の一部は、第１の軸部１１と第２の軸部１２との間に位置している。
【００３０】
第２のタッチパネル４３は、透光性を有する矩形状の部品であり、隙間を介して第２の表示部５１を覆っている。第２のタッチパネル４３は、例えば静電式のセンサを有し、第２のパネル４４上の指の動きを感知する。
【００３１】
第２のパネル４４は、例えば透光性の樹脂やガラスによって形成されている。第２のパネル４４は、開口部４８を塞ぐように第２の筐体４１に取り付けられ、第２のディスプレイ４２および第２のタッチパネル４３を保護している。第２のパネル４４は、第２のタッチパネル４３の上から第２の表示部５１を覆っている。
【００３２】
図３に示すように、第２のパネル４４は、第２の平面部５３と、第２の曲面部５４とを有している。第２の平面部５３は、矩形状に形成されている。第２の曲面部５４は、第２の筐体４１の端部４７に沿った第２の平面部５３の外縁（一端）に沿って設けられている。このため、第２の曲面部５４は、第１のパネル２４の第１の曲面部３４と隣り合う。第２の曲面部５４は、第２の筐体４１の端部４７に連続する断面円弧状に形成されている。これにより、第２のユニット４の回動時に第２の曲面部５４が第１のユニット３に当接することが防止される。図３において、第２の平面部５３と第２の曲面部５４とは、二点鎖線によって模式的に区切られている。
【００３３】
図３に示すように、第２の平面部５３は、第２の表示部５１の上に配置され、第２の表示部５１に重ねられている。さらに第２の曲面部５４も、第２の表示部５１の上に配置され、第２の表示部５１に重ねられている。このため、第２のパネル４４は、第２の平面部５３および第２の曲面部５４から第２の表示部５１を第２の筐体４１の外に露出させる。第２の表示部５１が表示する画像は、第２の平面部５３を通して表示されるとともに、第２の曲面部５４を通して表示される。またパネル４４とフレーム４６とを一体成形で製造することで強固な構造となり、落下などによる外部からの衝撃から第２のディスプレイ４２など電子部品を防御できる。
【００３４】
画面間をさらに近接させるために、図３のようにベース２５とフレーム２６、ベース４５とフレーム４６を嵌合させるのではなく、一体部品で形成することで嵌合による厚さを削減できる。さらには第１の筐体２１や第２の筐体４１を金属板金で構成することで薄く強固な構造にすることができる。前記したように第１のパネル２４や第２のパネル４４と、金属板金で構成された第１の筐体２１や第２の筐体４１との一体成形にすることで画面間がさらに近接することも期待できる。
【００３５】
図４は、第１のユニット３が画像を表示した状態の一例を示す。図４に示すように、第１のユニット３の第１の表示部３１が画像を表示し、当該画像を第１の曲面部３４を通して視認すると、第１の曲面部３４に対応する部分の画像は、第１の曲面部３４の曲率及び当該曲面部３４の構成部材の屈折率等に応じて歪んだ像となって見える。つまり、例えば図３において、第１の表示部３１の表示画面の領域のうち、第１の曲面部３４の下方に位置する領域に表示される画像は、第１の曲面部３４を通して見ると左右（横）方向に膨らんだ像となって見える。このため、図４に示すように、第１の曲面部３４に対応する部分を含む画像の幅Ｗ１は、第１の平面部３３に対応する部分の画像の幅Ｗ２と異なるように見える。
【００３６】
図５は、第１のユニット３が表示した画像が補正された状態の一例を示す。プリント回路板２９に実装された前記ＭＰＵは、表示部３１に表示させる画像のうち第１の曲面部３４に覆われた部分に表示させる画像を、当該曲面部３４の曲率及び屈折率に応じて補正する。つまり、図５の場合においてＭＰＵは、第１の曲面部３４に対応する位置に表示させる画像を、当該画像の縦方向の長さ（比率）に対する横方向の長さ（比率）が小さくなるように補正する。言い換えると前記ＭＰＵは、例えば第１の曲面部３４に対応する部分の画像の幅を補正し、縦方向に対する横方向の比率が、第１の平面部３３に表示させる画像よりも小さい画像を生成する。これにより、第１の曲面部３４に対応する部分の画像は、第１の曲面部３４を通して見たときに第１の平面部３３に対応する部分に表示される画像と等倍に見える。すなわち、ＭＰＵは、第１の表示部３１に表示させる画像を、当該表示部３１の表示画面の位置に応じて異なる縦横比（アスペクト比）の画像に変換・補正する。そして第１の表示部３１は、第１の曲面部３４に対応する部分に補正された画像を表示する。つまり第１の表示部３１は、第１の表示部３１に対向する方向(正面)に第１の曲面部３４を通して投影（照射）される画像と、第１の表示部３１に対向する方向(正面)に第１の平面部３３を通して投影（照射）される画像とが等倍の画像となるように、当該表示部３１の表示画面の第１の曲面部３４に対応する部分に、当該第１の曲面部３４の曲率及び屈折率等に応じたアスペクト比の画像を表示する。
【００３７】
同様に、前記ＭＰＵは、第２の表示部５１の第２の曲面部５４に対応する部分の画像を補正する。これにより、第２の曲面部５４に対応する部分の画像は、第２の曲面部５４を通して見たときに第２の平面部５３に対応する部分に表示される画像と等倍に見える。すなわち、第２の表示部５１は、第２の曲面部５４に対応する部分に補正された画像を表示する。
【００３８】
前記構成の電子機器１によれば、第１のパネル２４は、第１の平面部３３および第１の曲面部３４から第１の表示部３１を第１の筐体２１の外に露出させる。図３に示すように、第１の曲面部３４は、第１の筐体２１の端部２７に沿っており、第１のユニット３と第２のユニット４とを回動させるために断面円弧状に形成されている。このような第１の曲面部３４から第１の表示部３１を露出させる構造とすることで、第１の表示部３１を第１の筐体２１の端部２７に近接させることができる。
【００３９】
さらに、第２のパネル４４は、第２の平面部５３および第２の曲面部５４から第２の表示部５１を第２の筐体４１の外に露出させる。第２の曲面部５４は、第２の筐体４１の端部４７に沿っており、第１のユニット３と第２のユニット４とを回動させるために断面円弧状に形成されている。このような第２の曲面部５４から第２の表示部５１を露出させる構造とすることで、第２の表示部５１を第２の筐体４１の端部４７に近接させることができる。
【００４０】
第１の曲面部３４と第２の曲面部５４とは、互いに隣り合っている。上記の構成により、第１の表示部３１と第２の表示部５１とが近接し、第１の表示部３１と第２の表示部５１とを１つの大きな表示部として見易くなる。
【００４１】
第１の表示部３１は、第１の曲面部３４に対応する部分に、第１の曲面部３４を通して見たときに第１の平面部３３に対応する部分に表示される画像と等倍に見えるように補正された画像を表示する。これにより、第１の曲面部３４から第１の表示部３１を露出させることによる画像のゆがみを解消することができる。
【００４２】
第２の表示部５１は、第２の曲面部５４に対応する部分に、第２の曲面部５４を通して見たときに第２の平面部５３に対応する部分に表示される画像と等倍に見えるように補正された画像を表示する。これにより、第２の曲面部５４から第２の表示部５１を露出させることによる画像のゆがみを解消することができる。
【００４３】
図６に電子機器１の機能ブロック例を示す。電子機器１は、通信部２０１、受信部２０２、記憶部２０３、ＧＵＩ生成部２０４、制御部２０５、デコード部２０６、画像変換部２０７、および信号処理部２０８等の機能ブロックを備える。
【００４４】
通信部２０１は、無線／有線ＬＡＮ等の通信モジュールであり、インターネットやホームネットワーク等のネットワークを介して画像（映像）等の各種データを受信する。受信部２０２は、テレビ受信チューナ等の受信装置であり、ＢＳデジタル放送波や地上波デジタル放送波を受信して、当該放送波に重畳された画像（映像）を取得する。記憶部２０３は、ＨＤＤやＳＳＤ等の記憶装置であり、制御部２０５からの指示に応じて画像（映像）等を記憶する。ＧＵＩ生成部２０４は、制御部２０５からの指示に応じて各種のＧＵＩ画像を生成する。
【００４５】
制御部２０５は、電子機器１の各機能ブロックを制御する機能を有する。例えば制御部２０５は、通信部２０１及び受信部２０２が受信した画像を記憶部２０３に記憶させる。また制御部２０５は、記憶部２０３に記憶された画像や、受信部２０１及び受信部２０２が受信した画像を、デコード部２０６にデコードさせる。更に制御部２０５は、オペレーティングシステムに応じたＧＵＩ画像の生成をＧＵＩ生成部２０４に指示し、当該ＧＵＩ生成部２０４が生成したＧＵＩ画像を画像変換部２０７に出力する。デコード部２０６は、制御部２０５から入力された画像のデータをデコードして画像変換部２０７に出力する。
【００４６】
画像変換部２０７は、制御部２０５及びデコード部２０６から入力された画像を補正する。つまり画像変換部２０７は、図４及び図５において上述のように、第１の表示部３１及び第２の表示部５１に表示させる画像のうち、第１の曲面部３４及び第２の曲面部５４に対応する位置に表示させる画像の幅等を補正する。そして画像変換部２０７は、当該補正した画像を信号処理部２０８に出力する。信号処理部２０８は、画像変換部２０７から入力された画像のデータを、第１の表示部３１及び第２の表示部５１が表示可能な形式の映像信号に変換し、第１の表示部３１及び第２の表示部５１に出力する。
【００４７】
なお上記の機能ブロックは、例えば電子機器１に搭載された各種ハードウェアや、ＭＰＵ等のプロセッサが実行する各種ソフトウェアにより実現される。
【００４８】
次に、図７を参照して、第２の実施の形態について説明する。なお、以下に開示する複数の実施形態において、第１の実施形態の電子機器１と同一の機能を有する構成部分には同一の参照符号を付してその説明を省略する。
【００４９】
図７は、第２の実施形態の電子機器１のヒンジ部５の周辺を示す断面図である。図７に示すように、第１のユニット３は、第１のレンズ６１を有している。第１のレンズ６１は、例えば矩形の板状のフレネルレンズである。なお、第１のレンズ６１はこれに限らず、他の形状のレンズであっても良い。
【００５０】
第１のレンズ６１は、第１のディスプレイ２２と第１のタッチパネル２３との間に介在している。すなわち、第１のレンズ６１は、第１のディスプレイ２２と第１のパネル２４との間に介在している。第１のレンズ６１と第１のディスプレイ２２との間には空気層６２（隙間）が介在しており、第１のレンズ６１は、この空気層６２側に向いた鋸状の凹凸を有している。なお第１のレンズ６１と第１のディスプレイ２２との間には、必ずしも空気の層が介在していなくとも構わないが、当該空気層６２の位置には、第１のレンズ６１との屈折率差が大きく透光性のある物質（材料）が充填されていることが好ましい。
【００５１】
第１のレンズ６１は、第１の表示部３１に表示された画像を拡大するレンズである。第１のレンズ６１が光を屈折させることで、第１の曲面部３４において、本来見える位置よりも第１の筐体２１の端部２７に寄った位置まで画像が見えるようになる。つまり第１のレンズ６１は、第１の表示部３１から照射される光を端部２７側に屈折させる。そして、第１のレンズ６１は、第１の表示部３１の第１の曲面部３４に対応する部分の画像を、第１の表示部３１から外れた位置で視認可能にする。
【００５２】
第１のレンズ６１によって見える画像はゆがんで見えるため、プリント回路板２９の前記ＭＰＵは、第１の曲面部３４に対応する部分の画像を補正する。これにより、第１の曲面部３４に対応する部分の画像は、第１のレンズ６１を通して見たときに第１の平面部３３に対応する部分に表示される画像と等倍に見える。
【００５３】
図７に示すように、第２のユニット４は、第２のレンズ６４を有している。第２のレンズ６４は、例えば矩形の板状のフレネルレンズである。なお、第２のレンズ６４はこれに限らず、他の形状のレンズであっても良い。
【００５４】
第２のレンズ６４は、第２のディスプレイ４２と第２のタッチパネル４３との間に介在している。すなわち、第２のレンズ６４は、第２のディスプレイ４２と第２のパネル４４との間に介在している。第２のレンズ６４と第２のディスプレイ４２との間には空気層６５（隙間）が介在しており、第２のレンズ６４は、この空気層６５側に向いた凹凸を有している。なお上述の通り、空気層６５には例えば低屈折率の物質（材料）が充填されていても良い。
【００５５】
第２のレンズ６４は、第２の表示部５１に表示された画像を拡大するレンズである。第２のレンズ６４が光を屈折させることで、第２の曲面部５４において、本来見える位置よりも第２の筐体４１の端部４７に寄った位置まで画像が見えるようになる。すなわち、第２のレンズ６４は、第２の表示部５１の第２の曲面部５４に対応する部分の画像を、第２の表示部５１から外れた位置で視認可能にする。
【００５６】
第２のレンズ６４によって見える画像はゆがんで見えるため、前記ＭＰＵは、第２の曲面部５４に対応する部分の画像を補正する。これにより、第２の曲面部５４に対応する部分の画像は、第２のレンズ６４を通して見たときに第２の平面部５３に対応する部分に表示される画像と等倍に見える。
【００５７】
前記構成の電子機器１によれば、第１のレンズ６１が光を屈折させることで、第１の曲面部３４において、本来見える位置よりも第１の筐体２１の端部２７に寄った位置まで画像が見える。これにより、第１の表示部３１と第２の表示部５１とを１つの表示部として見易くなる。
【００５８】
第１の表示部３１は、第１の曲面部３４に対応する部分に、第１のレンズ６１を通して見たときに第１の平面部３３に対応する部分に表示される画像と等倍になるように補正された画像を表示する。これにより、第１のレンズ６１を通して画像を表示することによる画像のゆがみを解消することができる。
【００５９】
さらに、第２のレンズ６４が光を屈折させることで、第２の曲面部５４において、本来見える位置よりも第２の筐体４１の端部４７に寄った位置まで画像が見える。これにより、第１の表示部３１と第２の表示部５１とを１つの表示部として見易くなる。
【００６０】
第２の表示部５１は、第２の曲面部５４に対応する部分に、第２のレンズ６４を通して見たときに第２の平面部５３に対応する部分に表示される画像と等倍になるように補正された画像を表示する。これにより、第２のレンズ６４を通して画像を表示することによる画像のゆがみを解消することができる。
【００６１】
次に、図８を参照して、第３の実施の形態について説明する。図８は、第３の実施形態の電子機器１を示す断面図である。図８に示すように、第１のディスプレイ２２および第１のタッチパネル２３は、第１の曲面部３４に合わせて曲げられている。
【００６２】
第１のディスプレイ２２は、例えばフレキシブルＬＣＤである。なお、第１のディスプレイ２２はこれに限らず、他の可撓性を有するディスプレイであっても良い。第１のディスプレイ２２の第１の表示部３１は、第１の平面部３３および第１の曲面部３４から第１の筐体２１の外に露出されている。第１のタッチパネル２３は、可撓性を有しており、第１のパネル２４の内面に重ねられている。
【００６３】
第２のディスプレイ４２および第２のタッチパネル４３は、第２の曲面部５４に合わせて曲げられている。
【００６４】
第２のディスプレイ４２は、例えばフレキシブルＬＣＤである。なお、第２のディスプレイ４２はこれに限らず、他の可撓性を有するディスプレイであっても良い。第２のディスプレイ４２の第２の表示部５１は、第２の平面部５３および第２の曲面部５４から第２の筐体４１の外に露出されている。第２のタッチパネル４３は、可撓性を有しており、第１のパネル２４の内面に重ねられている。
【００６５】
前記構成の電子機器１によれば、第１のディスプレイ２２が、第１の曲面部３４に合わせて曲げられている。これにより、第１の表示部３１をさらに第１の筐体２１の端部２７に近接させることができる。
【００６６】
第２のディスプレイ４２は、第２の曲面部５４に合わせて曲げられている。これにより、第２の表示部５１をさらに第２の筐体４１の端部４７に近接させることができる。
【００６７】
次に、図９ないし図１３を参照して、第４の実施の形態について説明する。図９は、第１の実施形態の電子機器１における光の軌跡を説明するための断面図である。図１０は、第３の実施形態の電子機器１における光の軌跡を説明するための断面図である。
【００６８】
上記の各実施形態のように、表示部を覆うパネルが曲面部を有する二画面の機器において、ユーザに対する表示画面の角度によって表示部の一部が視認不可となる場合がある。
【００６９】
例えば、図９に示すように第１の実施形態における第１のユニット３と第２のユニット４との間の開き角が９０°である場合について説明する。なお、第１および第２のユニット３，４の開き角は、第１および第２の筐体２１，４１の開き角と等しい。
【００７０】
第１の表示部３１上の画素Ｐ１からの光は、例えば、図９に矢印Ｌ１で示す軌跡を通ってユーザに視認される。画素Ｐ１は、第１のパネル２４の第１の平面部３３に面している。
【００７１】
一方、第１の表示部３１上の画素Ｐ２からの光は、第１のパネル２４と空気の界面で全反射して図９の矢印Ｌ２で示す軌跡を通る場合がある。画素Ｐ２は、第１のパネル２４の第１の曲面部３４に面している。
【００７２】
同様に、図１０に示すように第３の実施形態における第１のユニット３と第２のユニット４との間の開き角が９０°である場合について説明する。この場合、第１の表示部３１上の画素Ｐ３からの光は、例えば、図１０に矢印Ｌ３で示す軌跡を通ってユーザの眼に到達する。一方、第１の表示部３１上の画素Ｐ４からの光は、全反射してユーザに到達しない。画素Ｐ３は第１の平面部３３に面し、画素Ｐ４は第１の曲面部３４に面している。
【００７３】
つまり、第１の表示部３１のうち、第１の曲面部３４に覆われた部分の更に一部の画像は、第１および第２のユニット３，４の開き角によって見えなくなる場合がある。これは第２の表示部５１についても同様である。このため本実施形態の電子機器１は、第１および第２のユニット３，４の開き角を検出し、第１および第２の表示部３１，５１に表示すべき画像の表示位置が、ユーザから視認可能な位置となるよう調整する。
【００７４】
以下、第１のユニット３の側について代表して説明する。第２のユニット４側については、第１のユニット３の側と同様であるので説明を省略する。図１１は、第１および第２のユニット３，４が１８０°開いている電子機器１を示す斜視図である。図１２は、第１および第２のユニット３，４が９０°開いている電子機器１を示す斜視図である。
【００７５】
図１１に示すように、第１および第２のユニット３，４が、例えば１８０°開いている場合、第１の表示部３１の全域が画像Ｇを表示し得る。図１２に示すように、第１および第２のユニット３，４の開き角が９０°であるとすると、第１の表示部３１は表示位置が調整された画像Ｇを表示する。言い換えると、電子機器１は、開き角が小さくなった場合に、画像Ｇの表示位置を調整する。すなわち、電子機器１は、開き角が小さくなった場合に、開き角が大きいときに第１の表示部３１の内側の端部の近傍（第１の筐体２１の端部２７側）に表示していた画像Ｇを、第１の表示部３１の外側（第２のディスプレイ４２から離れた位置）に寄せて表示する。
【００７６】
図１２に黒塗りで示す第１の表示部３１に設けられた領域Ｒは、ユーザが視認不可になり得る領域である。画像Ｇは、この領域Ｒの幅Ｗ３だけ第１の表示部３１の外側に寄せられて表示される。言い換えると、画像Ｇは、領域Ｒを避けて第１の表示部３１に表示される。領域Ｒは、画像を表示しても良いし、しなくても良い。また、画像Ｇが寄せられる距離は、領域Ｒの幅Ｗ３より小さくても良い。
【００７７】
電子機器１は、ユーザの顔や目の位置を撮像して、当該ユーザの顔や目の位置と、第１および第２のユニット３，４の開き角に応じて画像Ｇの表示位置を調整しても良い。つまり、例えば第１および第２のユニット３，４が１８０°開いている場合であっても、ユーザの顔や目の位置に対する第１の表示部３１の角度が所定角度より小さい場合には上記のような調整を行っても良い。
【００７８】
図１３は第４の実施形態の電子機器１の機能ブロック例を示す図である。第４の実施形態の電子機器１は、角度検出部３０１と撮像部３０２とをさらに備える。撮像部３０２は、位置検出手段の一例である。
【００７９】
角度検出部３０１は第１および第２のユニット３，４の開き角を検出する。制御部２０５は、角度検出部３０１が検出した第１および第２のユニット３，４の開き角に応じて、画像Ｇを表示する位置を決める。言い換えると、画像Ｇは、角度検出部３０１が検出した開き角に応じて異なる位置に表示される。
【００８０】
制御部２０５は、例えば第１および第２のユニット３，４の開き角が９０°より小さい場合、画像Ｇを表示する位置を第１の表示部３１の外側に寄せる。制御部２０５はこれに限らず、第１および第２のユニット３４の開き角が例えば１５０°、１２０°、９０°、および６０°のような幾つかの所定角度より小さい場合に段階的に画像Ｇを表示する位置を第１の表示部３１の外側に寄せても良い。また、制御部２０５は、第１および第２のユニット３４の開き角に連動して画像Ｇを表示する位置を第１の表示部３１の外側に寄せても良い。
【００８１】
図１１に示すように、撮像部３０２は、例えば第１のユニット３に設けられている。撮像部３０２は、第１の筐体２１のフレーム２６に設けられた開口から、電子機器１を操作するユーザの画像を撮像する。
【００８２】
制御部２０５は、撮像部３０２が撮像した画像から、例えばユーザの顔を認識することでユーザの位置を判別する。そして制御部２０５は、第１および第２のユニット３，４の開き角とユーザの位置とに応じて画像Ｇの表示位置を調整する。
【００８３】
前記構成の電子機器１によれば、第１および第２のディスプレイ２２，４２は、検出された第１および第２のユニット３，４の開き角に応じて異なる位置に画像Ｇを表示する。これにより、第１および第３のユニット３，４の開き角を小さくしても、第１および第２の表示部３１，５１の内側の端部に表示された画像が視認不可となることを抑制できる。
【００８４】
第１および第２のディスプレイ２２，４２は、撮像部３０２によって検出されたユーザの位置に応じて異なる位置に画像Ｇを表示する。これにより、ユーザの位置によって第１および第２の表示部３１，５１の内側の端部に表示された画像が視認不可となることを抑制できる。
【００８５】
なお、上記実施形態おいて、第１および第２の曲面部３４，５４などについて、曲面および円弧という表現を用いて説明したが、これらの部分は必ずしも滑らかな円弧状でなくとも良い。すなわち、パネルが内側端部近傍で例えば多角形形状で曲がっており、全体として円弧状になっていてもよい。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願のもとの特許出願の出願当初の特許請求の範囲の内容を付記する。  
[１]第１の筐体と、  
前記第１の筐体に収容され、第１の表示部を有した第１のディスプレイと、  
第１の平面部と、前記第１の平面部の外縁に沿って設けられた第１の曲面部と、を有し、前記第１の表示部を覆った透光性の第１のパネルと、  
を具備し、  
前記第１の表示部は、前記第１の平面部に対応する位置と前記第１の曲面部に対応する位置とで異なる縦横比の画像を表示する、電子機器。  
[２]第２の筐体と、  
前記第２の筐体に収容され、第２の表示部を有した第２のディスプレイと、  
第２の平面部と、前記第２の平面部の外縁に沿って設けられ、前記第１の曲面部と隣り合う第２の曲面部と、を有し、前記第２の表示部を覆った透光性の第２のパネルと、  
前記第１の筐体と前記第２の筐体とを互いに回動可能に連結したヒンジ部と、  
をさらに具備し、  
前記第２の表示部は、前記第２の平面部に対応する位置と前記第２の曲面部に対応する位置とで異なる縦横比の画像を表示する、[１]に記載の電子機器。  
[３]前記第１の曲面部に対応する位置において前記第１の表示部に表示される画像は、前記第１の曲面部を通して投影されることで、前記第１の平面部に対応する位置において前記第１の表示部に表示されるとともに前記第１の平面部を通して投影された画像と等倍となるように補正された[２]に記載の電子機器。  
[４]前記第２の曲面部に対応する位置において前記第２の表示部に表示される画像は、前記第２の曲面部を通して投影されることで、前記第２の平面部に対応する位置において前記第２の表示部に表示されるとともに前記第２の平面部を通して投影された画像と等倍となるように補正された[３]に記載の電子機器。  
[５]前記第１のディスプレイと前記第１のパネルとの間に介在し、前記第１の表示部の前記第１の曲面部に対応する部分の画像を前記第１の表示部から外れた位置で視認可能にする第１のレンズをさらに具備する[４]に記載の電子機器。  
[６]前記第１の表示部は、前記第１の曲面部に対応する部分に、前記第１のレンズを通して見たときに前記第１の平面部に対応する部分に表示される画像と等倍になるように補正された画像を表示する[５]に記載の電子機器。  
[７]前記第２のディスプレイと前記第２のパネルとの間に介在し、前記第２の表示部の前記第２の曲面部に対応する部分の画像を前記第２の表示部から外れた位置で視認可能にする第２のレンズをさらに具備する[６]に記載の電子機器。  
[８]前記第２の表示部は、前記第２の曲面部に対応する部分に、前記第２のレンズを通して見たときに前記第２の平面部に対応する部分に表示される画像と等倍になるように補正された画像を表示する[７]に記載の電子機器。  
[９]前記第１のディスプレイは、可撓性を有し、前記第１の曲面部に合わせて曲げられた[１]に記載の電子機器。  
[１０]第１の筐体と、  
第２の筐体と、  
前記第１の筐体を回動可能に支持した第１の軸部と、前記第２の筐体を回動可能に支持した第２の軸部と、を有したヒンジ部と、  
前記第１の筐体に収容され、一部が前記第１の軸部と前記第２の軸部との間に位置した第１のディスプレイと、  
前記第１のディスプレイを覆った第１曲面部を有した透光性の第１のパネルと、  
前記第２の筐体に収容され、一部が前記第１の軸部と前記第２の軸部との間に位置した第２のディスプレイと、  
前記第２のディスプレイを覆った第２曲面部を有した透光性の第２のパネルと、  
を具備し、  
前記第１及び第２のディスプレイは、これらディスプレイの位置に応じて異なる縦横比の画像を表示する、電子機器。  
[１１]前記第１の筐体と前記第２の筐体との開き角を検出する角度検出部を更に備え、  
前記第１のディスプレイは、検出された前記開き角に応じて異なる位置に画像を表示する、[１０]記載の電子機器。  
[１２]前記第１のディスプレイは、前記開き角が所定角度よりも小さい場合、画像を前記第２のディスプレイから離れた位置に寄せて表示する、[１１]記載の電子機器。  
[１３]ユーザの位置を検出する位置検出部を更に備え、  
前記第１および第２のディスプレイは、検出されたユーザの位置に応じて異なる位置に画像を表示する、[１１]記載の電子機器。
【符号の説明】
【００８７】
１…電子機器、５…ヒンジ部、１１…第１の軸部、１２…第２の軸部、２１…第１の筐体、２２…第１のディスプレイ、２４…第１のパネル、３１…第１の表示部、３３…第１の平面部、３４…第１の曲面部、４１…第２の筐体、４２…第２のディスプレイ、４４…第２のパネル、５１…第２の表示部、５３…第２の平面部、５４…第２の曲面部、６１…第１のレンズ、６４…第２のレンズ，３０１…角度検出部，３０２…撮像部，Ｇ…画像。
【図１】
0005509274.tif 000002
【図２】
0005509274.tif 000003
【図３】
0005509274.tif 000004
【図４】
0005509274.tif 000005
【図５】
0005509274.tif 000006
【図６】
0005509274.tif 000007
【図７】
0005509274.tif 000008
【図８】
0005509274.tif 000009
【図９】
0005509274.tif 000010
【図１０】
0005509274.tif 000011
【図１１】
0005509274.tif 000012
【図１２】
0005509274.tif 000013
【図１３】
0005509274.tif 000014